(57)【要約】【課題】アンカー施工現場において任意に決められた各アンカー施工位置毎に適したアンカーの諸元を、正確、かつ、安価に選定できるようにしたアンカーの選定方法等を提供する。【解決手段】本発明に係るアンカーの選定方法は、アンカー施工現場において、任意に決められた多数の各アンカー施工位置毎に測定棒を挿入することによって各アンカー施工位置毎の土砂厚を測定し、当該土砂厚の測定結果に基づいて、各アンカー施工位置毎に使用するアンカーの諸元を選定したことを特徴する。【選択図】図１
2020020176.tif 000002
【特許請求の範囲】
【請求項１】
アンカー施工現場において、任意に決められた多数の各アンカー施工位置毎に測定棒を挿入することによって各アンカー施工位置毎の土砂厚を測定し、当該土砂厚の測定結果に基づいて、各アンカー施工位置毎に使用するアンカーの諸元を選定したことを特徴するアンカーの選定方法。
【請求項２】
土砂厚が所定値以下のアンカー施工位置において、削岩機で地盤を掘削した際の振動状況に応じて地盤が定着層となる岩盤であるか否かを判定し、当該判定結果に基づいて、当該アンカー施工位置に使用するアンカーの諸元を選定したことを特徴とする請求項１に記載のアンカーの選定方法。
【請求項３】
土砂厚が所定値以下のアンカー施工位置において、削岩機として振動センサー付きの削岩機を用い、当該振動センサー付きの削岩機で地盤を掘削した際に振動センサーにより検出された振動波形に基づいて、地盤が定着層となる岩盤であるか否かを判定し、当該判定結果に基づいて、当該アンカー施工位置に使用するアンカーの諸元を選定したことを特徴とする請求項１に記載のアンカーの選定方法。
【請求項４】
測定結果に基づいて作成されたアンカー施工現場における定着層分布３次元モデルに基づいて、あるいは、測定結果及び判定結果に基づいて作成されたアンカー施工現場の定着層分布３次元モデルに基づいて、アンカー施工位置を追加するか否かを検証するとともにアンカー施工位置を追加する場合に当該アンカー施工位置に使用するアンカーの諸元を選定したことを特徴とする請求項１乃至請求項３のいずれか一項に記載のアンカーの選定方法。
【請求項５】
請求項１乃至請求項４のいずれか一項に記載のアンカーの選定方法により選定されたアンカーを該当するアンカー施工位置に施工したことを特徴とするアンカー施工方法。
【請求項６】
請求項１に記載の測定結果に基づいて、又は、請求項１に記載の測定結果及び請求項２に記載の判定結果に基づいて、又は、請求項１に記載の測定結果及び請求項３に記載の判定結果に基づいて作成されたことを特徴とするアンカー施工現場の定着層分布３次元モデル。
【発明の詳細な説明】
【技術分野】
【０００１】
本発明は、斜面（法面）等のアンカー施工現場において使用するアンカーの選定方法等に関する。
【背景技術】
【０００２】
例えば、アンカー施工現場としての斜面（法面）の崩落を防止するための対策として、斜面にネットを張設した上に、ワイヤーを格子状に配置し、その交差部を結束具で連結して該ワイヤーの随所をアンカーで斜面に固定するアンカー施工を行うこと等が知られている（特許文献１等参照）。
従来、アンカー施工現場においてアンカー施工を行う場合、アンカー施工前に、事前に、アンカー施工現場の地盤において定着層となる岩盤の位置をボーリング調査して、当該定着層の位置に応じて使用するアンカーの諸元（アンカーの種類、アンカーの長さ等）を選定し、アンカー施工現場において任意に決められた各アンカー施工位置に、選定したアンカーを使用するようにしている。
【先行技術文献】
【特許文献】
【０００３】
【特許文献２】特開２００５−３０７４５０号公報
【発明の概要】
【発明が解決しようとする課題】
【０００４】
しかしながら、上述したボーリング調査は、例えば、斜面の傾斜に沿った一直線上の数ヵ所の地点で行うだけであるので、アンカー施工現場全体の定着層の位置を正確に知ることはできない。このため、実施工にあたっては、作業員が感覚や経験によって各アンカー施工位置毎に使用するアンカーの諸元を選定しており、各アンカー施工位置毎に適したアンカーの諸元を正確に選定することはできなかった。
また、アンカー施工現場において任意に決められた各アンカー施工位置のすべての位置においてボーリング調査を行なうことも考えられるが、多数の各アンカー施工位置のすべての位置においてボーリング調査を行なうことは、ボーリング調査にかかるコストが膨大になり、現実的ではない。また、例えば、崩落地のようなアンカー施工現場では、ボーリング調査を実施することが困難である。
本発明は、上述した課題を解消すべく、アンカー施工現場において任意に決められた各アンカー施工位置毎に適したアンカーの諸元を、正確、かつ、安価に選定できるようにしたアンカーの選定方法等を提供するものである。
【課題を解決するための手段】
【０００５】
本発明に係るアンカーの選定方法は、アンカー施工現場において、任意に決められた多数の各アンカー施工位置毎に測定棒を挿入することによって各アンカー施工位置毎の土砂厚を測定し、当該土砂厚の測定結果に基づいて、各アンカー施工位置毎に使用するアンカーの諸元を選定したので、アンカー施工現場において任意に決められた各アンカー施工位置毎に適したアンカーの諸元を、正確、かつ、安価に選定できるようになる。
また、土砂厚が所定値以下のアンカー施工位置において、削岩機で地盤を掘削した際の振動状況に応じて地盤が定着層となる岩盤であるか否かを判定し、当該判定結果に基づいて、当該アンカー施工位置に使用するアンカーの諸元を選定したので、当該アンカー施工位置の地盤が定着層であるか否かを判定できるようになって、当該アンカー施工位置毎に適したアンカーの諸元を、正確に選定できるようになり、適切なアンカー施工を実施できるようになる。
また、土砂厚が所定値以下のアンカー施工位置において、削岩機として振動センサー付きの削岩機を用い、当該振動センサー付きの削岩機で地盤を掘削した際に振動センサーにより検出された振動波形に基づいて、地盤が定着層となる岩盤であるか否かを判定し、当該判定結果に基づいて、当該アンカー施工位置に使用するアンカーの諸元を選定したので、当該アンカー施工位置の地盤が定着層であるか否かを、より正確に判定できるようになって、当該アンカー施工位置毎に適したアンカーの諸元を、より正確に選定できるようになり、より適切なアンカー施工を実施できるようになる。
また、上述した測定結果に基づいて作成されたアンカー施工現場における定着層分布３次元モデルに基づいて、あるいは、測定結果及び判定結果に基づいて作成されたアンカー施工現場の定着層分布３次元モデルに基づいて、アンカー施工位置を追加するか否かを検証するとともにアンカー施工位置を追加する場合に当該アンカー施工位置に使用するアンカーの諸元を選定したので、適切なアンカー施工を実施できるようになる。
また、本発明に係るアンカー施工方法は、上述したアンカーの選定方法により選定されたアンカーを該当するアンカー施工位置に施工したので、適切なアンカー施工を実施できるようになる。
また、本発明に係るアンカー施工現場の定着層分布３次元モデルは、上述した測定結果に基づいて、又は、上述した測定結果及び判定結果に基づいて作成されたので、当該定着層分布３次元モデルに基づいて、アンカー施工位置毎に適したアンカーの諸元を、より正確に選定できるようになるとともに、アンカー施工位置を追加するか否かの検証を行うことも可能となり、このようにアンカー施工位置を追加する場合においても当該アンカー施工位置に使用するアンカーの諸元を正確に選定できるようになる。
【図面の簡単な説明】
【０００６】
【図１】アンカーの選定方法を示すフロー図。
【図２】アンカー施工現場（斜面）に施された密着型安定ネット工を上面から見た図。
【図３】土砂厚測定ステップを示す断面図。
【図４】定着層判定ステップを示す断面図。
【図５】アンカー施工位置に施工されたアンカーの一例を示す断面図。
【図６】アンカー選定処理の一例を示すフロー図。
【発明を実施するための形態】
【０００７】
実施形態１
実施形態１に係るアンカーの選定方法は、図２に示すように、アンカー施工現場１０において任意に決められた各アンカー施工位置１１，１１…毎に施工されるアンカー１２の諸元（アンカーの種類、アンカーの長さ等）を選定する方法であって、図１に示すように、土砂厚測定ステップ１と、定着層判定ステップ２と、定着層分布３次元モデル作成ステップ３と、アンカー選定ステップ４とを備える。
【０００８】
図２に示すように、アンカー施工現場１０は、例えば、地震や地滑り等により発生した崩壊斜面、地滑り対策工事を要する斜面、保護工事を要する斜面（法面）等である。
アンカー施工現場１０において実施されるアンカー施工は、例えばアンカー施工現場１０に恒久的な安全化対策として実施する密着型安定ネット工において、アンカー施工現場１０に設定された多数のアンカー施工位置１１，１１…に、図５に示すように、アンカー１２を施工（打設）する工事を言う。
密着型安定ネット工は、斜面崩壊を抑止するために、斜面に設定された複数のアンカー施工位置１１，１１…にアンカー１２を施工するとともに、これらアンカー１２，１２…の頭部同士をワイヤーロープ１３で連結させて構造物としてのワイヤーネット体を構築する工事を言う。
図５に示すように、定着層１５となる岩盤に設置されたアンカー１２は、定着層１５に埋め込まれた鉄筋等の引張材と、セメントペーストやセメントモルタル等の定着材の注入によって引張材の少なくとも先端部に形成されるアンカー体と、地表面に露出して構造物に連結されるアンカー頭部とを備えた構成である。
当該アンカー１２を施工した密着型安定ネット工によれば、アンカー頭部に連結された構造物としてのワイヤーネット体からの力が、引張力として引張材に伝達され、引張材を介してアンカー体に伝達され、アンカー体を介して定着層１５に伝達されることにより、斜面崩壊抑止効果が得られる。
【０００９】
図１，図３に示すように、土砂厚測定ステップ１では、アンカー施工現場１０の斜面上に任意に決められた各アンカー施工位置１１，１１…毎に、作業者が、測定棒１６を、打ち込んだり、押し込んだり等することによって、アンカー施工位置１１下の地中１８に挿入して、各アンカー施工位置１１，１１…毎の土砂厚ｔを測定する。
各アンカー施工位置１１，１１…は、例えば、図２に示すように、アンカー施工現場１０を上方から見た場合に、平面視において、格子の交点に決められる。互いに隣り合うアンカー施工位置１１，１１間の距離は、例えば、数十ｃｍ〜数ｍ程度に設定される。
測定棒１６は、例えば、先端が尖った、長さ１．５ｍ、直径１．３ｃｍの鉄製の丸棒又は角棒を用いる。例えば、棒の延長方向に沿って棒の先端１７からの長さを示す目盛が設けられた測定棒１６を用いることが好ましい。
即ち、各アンカー施工位置１１，１１…において、測定棒１６の先端１７が地中１８の岩部１９に衝突するまで測定棒１６を挿入することにより、各アンカー施工位置１１，１１…の地表面２０から地中１８の岩部１９までの長さである土砂厚ｔを測定する。
測定棒１６は、土砂厚ｔを正確に測定できるように、各アンカー施工位置１１，１１…の地表面２０である斜面に対して直交する方向に挿入することが好ましい。
【００１０】
尚、地震や地滑り等により発生した大規模な崩壊斜面では、崩落地であることから、定着層１５の位置を調べるためにボーリング調査を実施することは困難である。
一方、実施形態１では、アンカー施工位置１１，１１…毎に、測定棒１６を挿入して、各アンカー施工位置１１，１１…毎の土砂厚ｔを測定するため、アンカー施工位置１１，１１…毎の定着層１５の位置を、安価に、簡単かつ正確に知ることができるようになる。
【００１１】
図１，図４に示すように、定着層判定ステップ２では、土砂厚ｔが所定値以下のアンカー施工位置１１において、振動センサー２１付きの削岩機２２を用いて地盤を掘削する。
例えば、土砂厚測定ステップ１において、例えば長さ１．５ｍの測定棒１６の先端１７が岩部１９に衝突した場合、即ち、土砂厚ｔが例えば１．５ｍ以下のアンカー施工位置１１において、振動センサー２１付きの削岩機２２を用いて地盤を掘削する。
尚、各アンカー施工位置１１，１１…において、土砂厚測定を終了した後は、削岩機２２を用いて地盤を掘削する。そして、土砂厚ｔが所定値以下のアンカー施工位置１１においては、振動センサー２１付きの削岩機２２を用いて地盤を掘削する。この場合、掘削開始時から削岩機２２に振動センサー２１を取付けて掘削作業を行ってもよいし、岩部１９近くまで削岩機２２に振動センサー２１を付けないで掘削作業を行ない、削岩機２２の先端（削岩ビット）２３が岩部１９近くまで到達してから、削岩機２２に振動センサー２１を取付けて掘削作業を続けるようにしてもよい。
そして、削岩機２２の先端２３がアンカー施工位置１１下の岩部１９を削孔中に振動センサー２１により検出される振動波形に基づいて、当該岩部１９が、定着層１５となる岩盤であるか否かを判定する。
即ち、削岩機２２の先端２３がアンカー施工位置１１下の岩部１９を削孔中に振動センサー２１により検出される振動波形に基づいて、アンカー施工位置１１下の所定深度１．５ｍ以下の位置に定着層１５が存在するか否かを判定する。
つまり、削岩機２２の先端２３が岩部１９を削孔中に振動センサー２１により検出される振動波形の振幅値により、その岩部１９の強度を判定し、当該岩部１９が定着層１５となる岩盤であるか否かを判定する。
例えば、削岩機２２の先端２３が岩部１９を削孔中に振動センサー２１により検出される振動波形の振幅値が所定値よりも小さければ、その岩部１９は、定着層１５となる強固な岩盤であると判定する。
また、削岩機２２の先端２３が岩部１９を削孔中に振動センサー２１により検出される振動波形の振幅値が所定値よりも大きければ、その岩部１９は、定着層１５とはならない転石や割岩であると判定したり、定着層１５とはならない軟弱な岩盤等であると判定する。
このように、定着層判定ステップ２では、振動センサー２１付きの削岩機２２を用いて削岩機２２の先端２３が岩部１９を削孔中に振動センサー２１により検出された振動波形に基づいて、アンカー施工位置１１下に、定着層１５が存在するか否かを判定する。即ち、振動波形を目視確認することで、アンカー施工位置１１下に、定着層１５が存在するか否かの判定を行うことができるので、定量的な正確な判定を行うことが可能となる。
【００１２】
定着層分布３次元モデル作成ステップ３では、土砂厚測定ステップ１での測定結果、及び、定着層判定ステップ２での判定結果に基づいて、アンカー施工現場１０における定着層分布３次元モデルを作成する。即ち、上述した各アンカー施工位置１１，１１…毎の土砂厚ｔの測定結果、及び、土砂厚ｔが所定値以下のアンカー施工位置１１においての定着層１５の有無の判定結果に基づいて、アンカー施工現場１０における定着層分布３次元モデルを作成する。
定着層分布３次元モデル作成ステップ３は、例えば、コンピュータと、当該コンピュータとの協働により定着層分布３次元モデルを作成する定着層分布３次元モデル作成処理プログラムとを備えた定着層分布３次元モデル作成手段により、実行される。
つまり、入力手段を介してコンピュータに上述した測定結果及び判定結果を入力することによって、定着層分布３次元モデル作成処理プログラムが、当該入力された測定結果及び判定結果に基づいて、アンカー施工現場１０の定着層分布３次元モデルを作成する。
そして、定着層分布３次元モデル作成手段により、定着層分布３次元モデルの画像や数値データを、コンピュータの表示手段に表示したり、プリンター等の出力手段に出力することができる。
【００１３】
アンカー選定ステップ４では、土砂厚測定ステップ１での測定結果、及び、定着層判定ステップ２での判定結果に基づいて、各アンカー施工位置１１，１１…毎に使用するアンカー１２の諸元を選定する。
アンカー選定ステップ４は、例えば、コンピュータと、各土砂厚範囲と当該土砂厚範囲に適したアンカー１２の諸元とが対応付けされた土砂厚−アンカー関連付けデータと、コンピュータとの協働によりアンカー１２の諸元を選定するアンカー選定処理プログラムとを備えたアンカー選定手段により、実行される。
つまり、アンカー選定処理プログラムが、入力手段を介してコンピュータに入力された上述した測定結果及び判定結果と、土砂厚−アンカー関連付けデータとを照合し、各アンカー施工位置１１，１１…毎に使用するアンカー１２の最適な諸元を選定する。
そして、アンカー選定手段により、各アンカー施工位置１１，１１…とアンカー１２の諸元とが対応付けされた関連表やアンカー施工位置１１，１１…毎のアンカーの諸元等を、コンピュータの表示手段に表示したり、プリンター等の出力手段に出力することができる。
【００１４】
例えば、アンカー選定ステップ４では、アンカー選定手段により、図６に示すようなアンカー選定処理が実行される。
即ち、土砂厚測定ステップ１での測定結果である土砂厚ｔが３０ｃｍ以下であり、定着層判定ステップ２での判定結果が定着層であると判定されたアンカー施工位置１１に使用するアンカー１２として、全長１ｍの岩部用セメントアンカーが選定される。
また、土砂厚測定ステップ１での測定結果である土砂厚ｔが３０ｃｍより厚くて５０ｃｍ以下であり、定着層判定ステップ２での判定結果が定着層であると判定されたアンカー施工位置１１に使用するアンカー１２として、全長１．５ｍの岩部用セメントアンカーが選定される。
また、土砂厚測定ステップ１での測定結果である土砂厚ｔが５０ｃｍより厚くて１００ｃｍ以下であり、定着層判定ステップ２での判定結果が定着層であると判定されたアンカー施工位置１１に使用するアンカー１２として、全長１．５ｍの土被り部用セメントアンカーが選定される。
また、土砂厚測定ステップ１での測定結果である土砂厚ｔが１００ｃｍより厚くて１５０ｃｍ以下であり、定着層判定ステップ２での判定結果が定着層であると判定されたアンカー施工位置１１に使用するアンカー１２として、全長２ｍの土被り部用セメントアンカーが選定される。
また、土砂厚測定ステップ１での測定結果である土砂厚ｔが１５０ｃｍより厚いアンカー施工位置１１に使用するアンカー１２として、土砂部用アンカーが選定される。
また、定着層判定ステップ２での判定結果が定着層１５ではないと判定されたアンカー施工位置１１に使用するアンカー１２として、土砂部用アンカーが選定される。
【００１５】
土被り部用セメントアンカーは、例えば、図５に示すように、定着層１５に埋め込まれた鉄筋等のアンカー本体（引張材）３１と、定着層１５に埋め込まれたアンカー本体３１の先端側の埋設部分と当該埋設部分の周囲に注入されたセメントペーストやセメントモルタル等の定着材３２とによって形成されたアンカー体３３と、地表面に露出してワイヤーロープ等の構造物に連結されるアンカー頭部３４と、スウィング３５と、ガイド筒３６とを備えた構成である。
土被り部用セメントアンカーは、土砂厚ｔが比較的厚い場所（例えば土砂厚ｔが５０ｃｍを超える場所）に用いられるため、アンカー施工位置１１の表層部に筒状のスウィングと呼ばれる部品を設置することで、アンカーの軸方向以外の方向（以下、横方向という）からの荷重に対しアンカーの変位を抑えることができるように構成されたアンカーである。
【００１６】
アンカー施工位置１１への土被り部用セメントアンカーの施工は、まず、例えばエアーパンチャーと呼ばれるような専用の機械を用いてスウィング３５をアンカー施工位置１１の表層部に打ち込み、その後、削岩機２２を用いて、定着層１５を、アンカーの設置に必要な所定の深さまで削孔する。次に、アンカー本体３１の先端側の埋設部分を定着層１５の孔に設置し、孔内に定着材３２を注入して、アンカー本体３１の先端側の埋設部分と定着層１５とを定着材３２で固定したアンカー体３３を構築する。その後、表層側のアンカー本体３１とスウィング３５との間にガイド筒３６を設置した後、アンカー頭部３４にワイヤーロープ等の構造物を連結する。尚、ガイド筒３６の内側には、アンカー本体３１を周囲から支持するための支持体３８；３８…が設けられ、スウィング３５の内側には、ガイド筒３６を周囲から支持するための支持体３７；３７…が設けられている。つまり、表層側、即ち、土砂層に位置するアンカー本体３１が、ガイド筒３６及びスウィング３５によって周囲から支持された構成となっているため、横方向からの荷重に対して当該土砂層に位置するアンカー本体３１の変位を抑えることができるように構成されている。
【００１７】
岩部用セメントアンカーは、図示しないが、定着層１５に埋め込まれた鉄筋等のアンカー本体（引張材）と、定着層１５に埋め込まれたアンカー本体の埋設部分と当該埋設部分の周囲に注入されたセメントペーストやセメントモルタル等の定着材とによって形成されたアンカー体とを備える。
岩部用セメントアンカーは、土砂厚ｔが比較的薄い場所（例えば土砂厚ｔが５０ｃｍ以下の場所）に用いられ、横方向からの荷重に対するアンカーの変位は小さいため、スウィングを備えない構成である。
【００１８】
アンカー施工位置１１への岩部用セメントアンカー１２の施工は、まず、削岩機２２を用いて、定着層１５を、アンカーの設置に必要な所定の深さまで削孔する。次に、アンカー本体を定着層１５の孔内に設置し、孔内に定着材を注入して、アンカー本体と定着層１５とを定着材で固定したアンカー体を構築する。その後、アンカー頭部にワイヤーロープ等の構造物を連結する。
【００１９】
土砂部用のアンカーは、図示しないが、土砂層に埋め込まれた鉄棒等のアンカー本体と、表層部に設置されるスウィング、あるいは、アンカー本体に周面から突出するように設けられたクロスウィングとを備えた構成である。
土砂部用のアンカーは、土砂層に埋め込まれて定着層１５に定着させないアンカーであるため、スウィングやクロスウィングにより、横方向からの荷重に対しアンカーの変位を抑えることができるように構成されたアンカーである。
【００２０】
スウィング付きの土砂部用のアンカーは、例えばエアーパンチャーを用いてスウィングをアンカー施工位置１１の表層部に打ち込んだ後、エアーパンチャーを用いてアンカー本体をアンカー施工位置１１の土砂層に打ち込む。その後、アンカー頭部にワイヤーロープ等の構造物を連結する。
クロスウィング付きの土砂部用のアンカーは、クロスウィングが取付けられたアンカー本体をエアーパンチャーを用いて土砂層に打ち込む。その後、アンカー頭部にワイヤーロープ等の構造物を連結する。
【００２１】
実施形態１によれば、アンカー施工現場１０において任意に決められた各アンカー施工位置１１，１１…毎に適したアンカー１２の諸元を、安価に、かつ、正確に選定できるようになる。
そして、各アンカー施工位置１１，１１…毎に選定されたアンカー１２を、該当するアンカー施工位置１１に施工することにより、適切、かつ、確実なアンカー施工を実施できるようになる。
【００２２】
また、コンピュータにより実行される定着層分布３次元モデル作成ステップ３及びアンカー選定ステップ４を備えたので、施工後の維持管理等において、定着層分布３次元モデル及びアンカー選定結果のデータを利用できるようになる。
また、アンカー施工現場１０を複数の施工区域に分割して、施工区域毎にアンカー施工する場合において、施工後の施工区域の定着層分布３次元モデル及びアンカー選定結果のデータを、次に施工する施工区域の施工時において、参考として利用することが可能となる。
また、アンカー施工現場１０が、地震や地滑り等により発生した大規模な崩壊斜面の場合には、崩壊する前の地質データを、定着層分布３次元モデルのデータにより、修正することが可能となる。
【００２３】
実施形態２
実施形態１での測定結果及び判定結果に基づいて作成されたアンカー施工現場１０における定着層分布３次元モデルに基づいて、施工管理者が、アンカー施工位置１１を追加するか否かを検証する。
当該検証により、アンカー施工位置１１の追加が必要とされ、アンカー施工位置１１を追加する場合には、当該追加するアンカー施工位置１１に使用するアンカー１２の諸元を選定する。
【００２４】
尚、当該追加するアンカー施工位置１１に使用するアンカー１２の諸元を選定する処理は、例えば、以下のように行えばよい。
追加するアンカー施工位置１１での土砂厚の測定及び定着層か否かの判定を行った後に、アンカー選定手段によるアンカー選定処理を実行して、当該追加するアンカー施工位置１１に使用するアンカー１２の諸元を選定する。
あるいは、追加するアンカー施工位置１１での土砂厚の測定及び定着層か否かの判定を行なわずに、当該追加するアンカー施工位置１１の近傍のアンカー施工位置１１での測定結果及び判定結果から所定のアルゴリズムで当該追加するアンカー施工位置１１での土砂厚及び定着層判定を推測する処理プログラムを用い、当該処理プログラムで推測した当該追加するアンカー施工位置１１での土砂厚及び定着層判定に基づいて、当該追加するアンカー施工位置１１に使用するアンカー１２の諸元を選定する。
あるいは、追加するアンカー施工位置１１での土砂厚の測定及び定着層か否かの判定を行なわずに、当該追加するアンカー施工位置１１の近傍のアンカー施工位置１１での測定結果及び判定結果から、人が、経験や知識に基づいて、当該追加するアンカー施工位置１１に使用するアンカー１２の諸元を選定する。
【００２５】
即ち、実施形態２のアンカーの選定方法によれば、実施形態１での測定結果及び判定結果に基づいて作成されたアンカー施工現場１０における定着層分布３次元モデルに基づいて、アンカー施工位置１１を追加するか否かを検証するとともにアンカー施工位置１１を追加する場合に当該アンカー施工位置１１に使用するアンカー１２の諸元を選定したので、より確実で適切なアンカー施工を実施できるようになる。
【００２６】
尚、実施形態１での測定結果に基づいて作成されたアンカー施工現場１０における定着層分布３次元モデル、即ち、実施形態１での定着層判定を行わずに作成された定着層分布３次元モデルに基づいて、アンカー施工位置１１を追加するか否かを検証するとともにアンカー施工位置１１を追加する場合に当該アンカー施工位置１１に使用するアンカー１２の諸元を選定するようにしてもよい。
【００２７】
実施形態３
実施形態１では、コンピュータにより実行される定着層分布３次元モデル作成ステップ３及びアンカー選定ステップ４を備えたアンカーの選定方法を例示したが、人が、土砂厚測定ステップ１での測定結果と定着層判定ステップ２での判定結果と土砂厚−アンカー関連付けデータの内容とを照合することによって、各アンカー施工位置１１，１１…毎に適したアンカーの諸元を選定するようにしてもよい。例えば、図６に示したような、アンカー選定処理を、人が行なってもよい。
【００２８】
実施形態４
実施形態１では、コンピュータにより実行される定着層分布３次元モデル作成ステップ３を備えたアンカーの選定方法を例示したが、定着層分布３次元モデル作成ステップ３を備えないアンカーの選定方法であってもよい。
【００２９】
尚、上述した定着層判定ステップ２では、振動センサー２１付きの削岩機２２を用いて当該振動センサー２１付きの削岩機２２で地盤を掘削した際に振動センサー２１により検出された振動波形に基づいて、アンカー施工位置１１下の岩部１９が定着層となる岩盤であるか否かを判定した例を示したが、振動センサー２１が付いていない削岩機２２を用いて、削岩機２２の先端（削岩ビット）２３がアンカー施工位置１１下の岩部１９に衝突した際に、削岩機２２を操作する作業員が感じる振動の状況を感覚的に判断することにより、アンカー施工位置１１下の岩部１９が定着層１５であるか否かを判定してもよい。
【００３０】
また、定着層判定ステップ２を実施しないようにしてもよい。
即ち、アンカー施工現場１０において、任意に決められた多数の各アンカー施工位置１１，１１…毎に測定棒１６を打ち込むことによって各アンカー施工位置１１，１１…毎の土砂厚ｔを測定し、当該土砂厚ｔの測定結果に基づいて、各アンカー施工位置１１，１１…毎に使用するアンカー１２の諸元を選定するようにしてもよい。
例えば、人あるいはコンピュータが、土砂厚測定ステップ１での測定結果と土砂厚−アンカー関連付けデータの内容とを照合することによって、各アンカー施工位置１１，１１…毎に適したアンカーの諸元を選定するようにしてもよい。
【００３１】
本発明では、コンピュータと、当該コンピュータとの協働により定着層分布３次元モデルを作成する定着層分布３次元モデル作成処理プログラムとを備えた定着層分布３次元モデル作成手段を備え、当該定着層分布３次元モデル作成手段が、実施形態１の土砂厚測定ステップ１での測定結果、及び、定着層判定ステップ２での判定結果に基づいて、アンカー施工現場１０の定着層分布３次元モデルを作成したり、あるいは、当該定着層分布３次元モデル作成手段が、実施形態１の土砂厚測定ステップ１での測定結果に基づいて、アンカー施工現場１０の定着層分布３次元モデルを作成する。
即ち、本発明によるアンカー施工現場１０の定着層分布３次元モデル作成方法は、定着層分布３次元モデル作成手段が、実施形態１の土砂厚測定ステップ１での測定結果、及び、定着層判定ステップ２での判定結果を入力して、定着層分布３次元モデル作成処理プログラムで規定されたアルゴニズムにより所定の演算処理を行って、アンカー施工現場１０の定着層分布３次元モデルを作成したり、あるいは、定着層分布３次元モデル作成手段が、実施形態１の土砂厚測定ステップ１での測定結果を入力して、定着層分布３次元モデル作成処理プログラムで規定されたアルゴニズムにより所定の演算処理を行って、アンカー施工現場１０の定着層分布３次元モデルを作成する。
このように、本発明では、上述した測定結果及び判定結果に基づいて、又は、上述した測定結果に基づいて、アンカー施工現場１０の定着層分布３次元モデルを作成したので、当該定着層分布３次元モデルに基づいて、アンカー施工位置１１，１１…毎に適したアンカー１２の諸元を正確に選定できるようになるとともに、実施形態２で説明したように、アンカー施工位置１１を追加するか否かの検証を行うこともできるようになり、このようにアンカー施工位置１１を追加する場合においても、当該追加するアンカー施工位置１１に使用するアンカー１２の諸元を正確に選定できるようになる。
【００３２】
また、上記では、例として、アンカー施工現場１０に恒久的な安全化対策として実施される密着型安定ネット工でのアンカー施工で使用されるアンカー１２の選定方法について説明したが、本発明のアンカーの選定方法は、グラウンドアンカー工や法枠工等のアンカー施工で使用されるアンカー１２の諸元を選定する場合にも利用できる。
【符号の説明】
【００３３】
１０  アンカー施工現場、１１  アンカー施工位置、１２  アンカー、１５  定着層、１６  測定棒、２１  振動センサー、２２  削岩機。
【図１】
2020020176.tif 000003
【図２】
2020020176.tif 000004
【図３】
2020020176.tif 000005
【図４】
2020020176.tif 000006
【図５】
2020020176.tif 000007
【図６】
2020020176.tif 000008